(57)【要約】      （修正有）【課題】背骨を保護しながら腹筋を鍛練するために使用する腹筋トレーニング器を提供する。【解決手段】一側に肉厚で円弧状の背凭れ１１が設けられ、他側に座部が設けられるプレート本体１０を有し、該背凭れの中央に外側に軟質材を有するローラー１５が枢設されることを特徴とする。【選択図】図２
0003116520.tif 000002
【実用新案登録請求の範囲】
【請求項１】
一側に肉厚で円弧状の背凭れが設けられ、他側に座部が設けられるプレート本体を有し、該背凭れの中央に外側に軟質材を有するローラーが枢設されることを特徴とする腹筋トレーニング器。
【請求項２】
前記プレート本体が凸字形であり、該背凭れの中央にローラー収容部が形成され、該ローラー収容部の両側に相対する枢設溝が複数形成され、各組の枢設溝に前記ローラーが枢設されることを特徴とする請求項１に記載の腹筋トレーニング器。
【請求項３】
更に複数のパイプを連結してなるリング状のＬ型支持フレームを有し、該Ｌ型支持フレームの一端に枕部が設けられると共に、中段が湾曲状構造を呈し、
前記背凭れの両側に貫通孔が形成され、該貫通孔に連結ロッドが枢設され、該連結ロッドの両端が該Ｌ型支持フレームの湾曲状構造と連結することを特徴とする請求項１又は２に記載の腹筋トレーニング器。
【考案の詳細な説明】
【技術分野】
【０００１】
本考案は、特に腹筋を鍛練するために使用する腹筋トレーニング器に関するものである。
【背景技術】
【０００２】
腹部を鍛練する方法としては、通常、上体を起こす腹筋運動が用いられている。腹筋運動をする際は、必ず床、ベッド又はマットの上に横になり、腹部の筋力で上半身を起こし、その後、再び横になるという運動を繰り返し行うものである。
【０００３】
しかし、前記腹筋運動をする際は、体を横にすることから、背骨が直接床、ベッド又はマットと接触するので、上半身を起こすとき、背骨が圧迫されて不快感を感じる都共に、場合によっては、運動傷害を起こす恐れがあった。
【０００４】
又、腹筋運動をする際、腰の下に枕などの柔らかいものを置くことにより、背骨の損傷を防止することができるが、そうすると、腹筋の運動がしにくくなってしまうという問題があった。
【０００５】
図５に示すように、従来の腹筋トレーニング器は、複数のパイプを連結してなるリング状のＬ型支持フレーム（５０）を有し、該Ｌ型支持フレーム（５０）の一端に枕部（５１）が設けられると共に、中段が湾曲状構造を呈し、又、この腹筋トレーニング器を使用する時は、該Ｌ型支持フレーム（５０）の内側に入り、頭部を枕部（５１）に放置させ、両手でＬ型支持フレーム（５０）の他端を握り、手及び腹部の力で上半身を起こすことにより、腹筋を鍛える。
【考案の開示】
【考案が解決しようとする課題】
【０００６】
しかしながら、前記従来の腹筋トレーニング器を使用する際も、使用者の背骨が直接に床、ベッド又はマットと接触するので、上半身を起こすとき、背骨が圧迫されて不快感を感じ、場合によっては、運動傷害を起こす恐れがあった。
【０００７】
そこで、案出されたのが本考案であって、腹筋を鍛練するために使用する腹筋トレーニング器を提供することを目的としている。
【課題を解決するための手段】
【０００８】
本願の請求項１の考案は、一側に肉厚で円弧状の背凭れが設けられ、他側に座部が設けられるプレート本体を有し、該背凭れの中央に外側に軟質材を有するローラーが枢設されることを特徴とする腹筋トレーニング器、を提供する。
【０００９】
本願の請求項２の考案は、前記プレート本体が凸字形であり、該背凭れの中央にローラー収容部が形成され、該ローラー収容部の両側に相対する枢設溝が複数形成され、各組の枢設溝に前記ローラーが枢設されることを特徴とする請求項１に記載の腹筋トレーニング器、を提供する。
【００１０】
本願の請求項３の考案は、更に複数のパイプを連結してなるリング状のＬ型支持フレームを有し、該Ｌ型支持フレームの一端に枕部が設けられると共に、中段が湾曲状構造を呈し、
前記背凭れの両側に貫通孔が形成され、該貫通孔に連結ロッドが枢設され、該連結ロッドの両端が該Ｌ型支持フレームの湾曲状構造と連結することを特徴とする請求項１又は２に記載の腹筋トレーニング器、を提供する。
【考案の効果】
【００１１】
本考案は上記の課題を解決するものであり、凸字形のプレート本体を有し、幅がより小さい一側に肉厚で円弧状の背凭れが設けられると共に、幅が大きい他側に座部が設けられ、該背凭れの中央にローラー収容部が形成され、該ローラー収容部の両側に相対する枢設溝が複数形成され、該各組の枢設溝に外側にスポンジなどの軟質材を有するローラーが枢設される構成を有するので、背骨を保護しながら、腹筋トレーニングを行うことができる。
【考案を実施するための最良の形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１は本考案に係る腹筋トレーニング器の斜視図であり、図２は本考案に係る腹筋トレーニング器の使用状態を示す斜視図であり、図３は本考案に係る腹筋トレーニング器の使用状態を示す側面図であり、図４は本考案に係る腹筋トレーニング器を使用する状態を示す側面図である。
【００１４】
図１に示すように、本考案に係る腹筋トレーニング器は、凸字形のプレート本体（１０）を有し、幅がより小さい一側に肉厚で円弧状の背凭れ（１１）が設けられると共に、幅が大きい他側に座部（１２）が設けられ、該背凭れ（１１）の中央にローラー収容部（１３）が形成され、該ローラー収容部（１３）の両側に相対する枢設溝（１４）が形成され、該各組の枢設溝（１４）に外側にスポンジなど軟質材を有するローラー（１５）が複数枢設され、又、座部（１２）の両側に使用者の手に握るための取手部（１６）が形成される。
【００１５】
本考案に係る腹筋トレーニング器を使用する場合、お尻が座部（１２）に座り、体を横にすることにより、腹筋運動をすることができ、又、体を横にする際は、腰部が背凭れ（１１）と接触するので、該軟質材を有するローラー（１５）により、背骨を保護しながら、腹筋のトレーニングを行うことができる。
【００１６】
又、図１乃至図３に示すように、本考案に係る腹筋トレーニング器において、背凭れ（１１）の両側に貫通孔（１７）が形成され、該貫通孔（１７）に連結ロッド（１８）が枢設され、該連結ロッド（１８）の両端が前記従来の腹筋トレーニング器のＬ型支持フレーム（５０）の湾曲状構造と連結することにより、図４に示すように、腹筋トレーニングをすることができる。
【産業上の利用可能性】
【００１７】
本考案は上記の構成を有するので、凸字形のプレート本体を有し、幅がより小さい一側に肉厚で円弧状の背凭れが設けられると共に、幅が大きい他側に座部が設けられ、該背凭れの中央にローラー収容部が形成され、該ローラー収容部の両側に相対する枢設溝が複数形成され、該各組の枢設溝に外側にスポンジなどの軟質材を有するローラーが枢設される構成を有するので、背骨を保護しながら、腹筋トレーニングを行うことができる。
【図面の簡単な説明】
【００１８】
【図１】本考案に係る腹筋トレーニング器の斜視図である。
【図２】本考案に係る腹筋トレーニング器の使用状態を示す斜視図である。
【図３】本考案に係る腹筋トレーニング器の使用状態を示す側面図である。
【図４】本考案に係る腹筋トレーニング器を使用する状態を示す側面図である。
【図５】従来の腹筋トレーニング器を示す斜視図である。
【符号の説明】
【００１９】
１０        プレート本体
１１        背凭れ
１２        座部
１３        ローラー収容部
１４        枢設溝
１５        ローラー
１６        取手部
１７        貫通孔
１８        連結ロッド
５０        Ｌ型支持フレーム
５１        枕部
【図１】
0003116520.tif 000003
【図２】
0003116520.tif 000004
【図３】
0003116520.tif 000005
【図４】
0003116520.tif 000006
【図５】
0003116520.tif 000007